(57)【要約】【課題】幼児用抱っこ紐で幼児を胸に抱いた状態で、足の皮膚が剥がれて生じる傷を予防できるとともに、血液循環が円滑に行われることによって、健康増進及び安定性を向上できるようにした足支え靴が備わった幼児用抱っこ紐を提供する。【解決手段】背支え部と、前記背支え部の下部から一体に延長され、両側が外側に広がった状態で幼児の太股部分を載せるための延長翼を有するお尻支え部と、前記背支え部の上部に形成された頭支え部と、前記背支え部の上端両側とお尻支え部の両側端にそれぞれ連結された肩紐部とを含んで構成された幼児用抱っこ紐において、前記肩紐部に形成された連結部材と、前記連結部材に連結された足支え靴とを含み、前記足支え靴は、幼児の足を入れるための靴本体と、前記靴本体に形成された連結片に結着される連結紐と、前記連結紐を連結部材に連結するための連結帯とを含むことを特徴とする足支え靴が備わった幼児用抱っこ紐を構成する。【選択図】図２
0003160559.tif 000002
【実用新案登録請求の範囲】
【請求項１】
背支え部と、前記背支え部の下部から一体に延長され、両側が外側に広がった状態で幼児の太股部分を載せるための延長翼を有するお尻支え部と、前記背支え部の上部に形成された頭支え部と、前記背支え部の上端両側とお尻支え部の両側端にそれぞれ連結された肩紐部と、を含んで構成された幼児用抱っこ紐において、
前記肩紐部に形成された連結部材と、
前記連結部材に連結された足支え靴と、を含み、
前記足支え靴は、幼児の足を入れるための靴本体と、前記靴本体に形成された連結片に結着される連結紐と、前記連結紐を連結部材に連結するための連結帯と、を含んで構成されたことを特徴とする足支え靴が備わった幼児用抱っこ紐。
【請求項２】
前記靴本体の後面部又は側面部には、長さ方向に幼児の足を靴本体の内部に容易に入れるための開閉手段が形成されることを特徴とする、請求項１に記載の足支え靴が備わった幼児用抱っこ紐。
【請求項３】
前記開閉手段は、ジッパー、ベルクロテープ及びスナップのうちいずれか一つで形成されることを特徴とする、請求項２に記載の足支え靴が備わった幼児用抱っこ紐。
【請求項４】
前記靴本体の内部底面には、幼児の足の裏に加えられる衝撃を緩和するためのクッションパッドが形成されることを特徴とする、請求項１に記載の足支え靴が備わった幼児用抱っこ紐。
【請求項５】
前記連結紐の一側端には、前記靴本体の連結片に連結される結着具が形成され、前記連結紐の外面には、幼児の足が当接することによって生じる傷を防止するための布又はクッション材質のカバーが形成されることを特徴とする、請求項１に記載の足支え靴が備わった幼児用抱っこ紐。
【請求項６】
前記連結帯の一側端には、前記連結部材に着脱可能な固定具が形成され、
前記連結帯の外側面には、前記靴本体の高低を調節できるように前記連結帯の長さを調節する長さ調節具が形成され、
前記連結帯の後面部には、保護者の身体を保護するためのクッションパッドが形成されることを特徴とする、請求項１に記載の足支え靴が備わった幼児用抱っこ紐。
【請求項７】
前記肩紐部から分離可能に形成された支え帯をさらに含み、
前記支え帯の内部には、前記連結部材と連結帯との間を連結するように両端に装着具がそれぞれ形成された補助帯が形成され、
前記支え帯の一側端には、前記肩紐部から分離可能なベルクロテープ、ジッパー及びスナップのうちいずれか一つからなる固定手段が形成されることを特徴とする、請求項１に記載の足支え靴が備わった幼児用抱っこ紐。
【請求項８】
前記装着具のうち連結帯に連結される装着具には、前記靴本体の高低を調節できるように前記連結帯の長さを調節する長さ調節部が形成されたことを特徴とする、請求項７に記載の足支え靴が備わった幼児用抱っこ紐。
【請求項９】
前記連結紐は、幼児用抱っこ紐で幼児を抱いたり背負って移動するとき、幼児の揺れによって足に加えられる衝撃を緩和するための弾性材質で形成されたことを特徴とする、請求項１に記載の足支え靴が備わった幼児用抱っこ紐。
【請求項１０】
前記靴本体は、夏期に着用するときに通風性を高めるために網体で形成されたことを特徴とする、請求項１に記載の足支え靴が備わった幼児用抱っこ紐。
【考案の詳細な説明】
【技術分野】
【０００１】
本考案は、足支え靴が備わった幼児用抱っこ紐に関するもので、より詳細には、幼児用抱っこ紐の肩紐部に足支え靴を着脱可能に連結することによって、幼児用抱っこ紐によって抱き上げられた幼児の足を足支え靴に入れて、幼児の足が下方に垂れないように支持し、足に圧迫が加えられることを防止した足支え靴が備わった幼児用抱っこ紐に関するものである。
【背景技術】
【０００２】
一般的に、幼児用抱っこ紐は、幼児を背負ったり、胸に抱こうとするとき、幼児を覆う状態で肩紐を用いて肩にかけることによって、幼児が安らかな状態を維持できるとともに、幼児を背負ったり、胸に抱いた人も安らかな状態で歩行できるようになっている。
【０００３】
このような従来の幼児用抱っこ紐１０は、図１に示すように、幼児の背などを支えるための背支え部２０と、前記背支え部２０の下部から一体に又は裁縫によって延長され、両側が外側に広がる状態で幼児のお尻部分を載せるためのお尻支え部３０と、前記背支え部２０の上部に着脱可能な状態で幼児の頭を支えるための頭支え部４０と、前記背支え部２０の上端両側とお尻支え部３０の両側端にそれぞれ連結され、使用者の肩にかけるための肩紐部５０とを含んで構成されている。
【０００４】
前記のように構成された従来の幼児用抱っこ紐１０においては、背支え部２０に幼児の上体の背部分が支えられる状態でお尻支え部３０にお尻が載せられる。そして、幼児の足が前記お尻支え部３０と肩紐部５０との間に抜け出るようにし、お尻支え部３０に載せられる幼児が落ちることを防止する。
【０００５】
このような状態で、前記幼児用抱っこ紐を使用者の背又は胸方向に位置させてから肩紐部５０を肩にかければ、幼児を安らかな状態で背負ったり、胸に抱くことが可能になる。
【０００６】
しかしながら、前記のような従来の幼児用抱っこ紐において、幼児のお尻部分が載せられるお尻支え部３０のうち両側に延長される延長翼３１部分は、お尻支え部３０に幼児が座った状態で幼児の足が外部に抜け出ることによって太股部分が直接的に接触する部分であって、前記太股部分への圧迫感を最小化するために単純な任意の曲線状を有しており、幼児の体重がお尻支え部３０の延長翼３１に載せられた足の太股部分に加えられるようになり、足の痛みを訴えるようになる。このとき、幼児は、意思伝達が可能でないため、痛みを正確に伝えることができない状態で抱き上げられる。さらに、幼児が抱っこ紐によって覆われた状態で歩行すれば、歩行時の揺れと共に太股部分が延長翼３１によって擦り剥かれる痛みがあることはもちろんで、足に圧迫が加えられるようになり、血液循環が円滑に行われないという問題がある。
【考案の概要】
【考案が解決しようとする課題】
【０００７】
本考案は、前記のような問題点を解決するためになされたもので、幼児用抱っこ紐で幼児を胸に抱いた状態で幼児の足が下方に垂れることを防止するために、膝が曲がらないように支えることによって、幼児の足が保護者と幼児用抱っこ紐との間で圧迫されなくなり、足の皮膚が剥がれて生じる傷を予防できるとともに、血液循環が円滑に行われることによって、健康増進及び安定性を向上できるようにした足支え靴が備わった幼児用抱っこ紐を提供することを目的とする。
【０００８】
また、本考案の他の目的は、幼児用抱っこ紐に足支え靴を着脱できるように肩紐部から分離可能な支え帯が形成されることによって、肩紐部にかかる加重が保護者の肩に伝達されるとき、支え帯がクッション機能を行えるようにした幼児用抱っこ紐を提供することにある。
【課題を解決するための手段】
【０００９】
前記のような目的を達成するための本考案は、背支え部と、前記背支え部の下部から一体に延長され、両側が外側に広がった状態で幼児の太股部分を載せるための延長翼を有するお尻支え部と、前記背支え部の上部に形成された頭支え部と、前記背支え部の上端両側とお尻支え部の両側端にそれぞれ連結された肩紐部とを含んで構成された幼児用抱っこ紐において、前記肩紐部に形成された連結部材と、前記連結部材に連結された足支え靴とを含み、前記足支え靴は、幼児の足を入れるための靴本体と、前記靴本体に形成された連結片に結着される連結紐と、前記連結紐を連結部材に連結するための連結帯とを含んで構成されたことを特徴とする。
【００１０】
また、前記靴本体の後面部又は側面部には、長さ方向に幼児の足を靴本体の内部に容易に入れるための開閉手段が形成され、前記開閉手段は、ジッパー、ベルクロテープ及びスナップのうちいずれか一つで形成されたことを特徴とする。
【００１１】
また、前記靴本体の内部底面には、幼児の足の裏に加えられる衝撃を緩和するためのクッションパッドが形成されたことを特徴とする。
【００１２】
また、前記連結紐の一側端には、前記靴本体の連結片に連結される結着具が形成され、前記連結紐の外面には、幼児の足が当接することによって生じる傷を防止するための布又はクッション材質のカバーが形成されることを特徴とする。
【００１３】
また、前記連結帯の一側端には、前記連結部材に着脱可能な固定具が形成され、前記連結帯の外側面には、前記靴本体の高低を調節できるように前記連結帯の長さを調節する長さ調節具が形成され、前記連結帯の後面部には、保護者の身体を保護するためのクッションパッドが形成されることを特徴とする。
【００１４】
また、前記肩紐部から分離可能に形成された支え帯をさらに含み、前記支え帯の内部には、前記連結部材と連結帯との間を連結するように両端に装着具がそれぞれ形成された補助帯が形成され、前記支え帯の一側端には、前記肩紐部から分離可能なベルクロテープ、ジッパー及びスナップのうちいずれか一つからなる固定手段が形成されることを特徴とする。
【００１５】
また、前記装着具のうち連結帯に連結される装着具には、前記靴本体の高低を調節できるように前記連結帯の長さを調節する長さ調節部が形成されたことを特徴とする。
【００１６】
前記連結紐は、幼児用抱っこ紐で幼児を抱いたり背負って移動するとき、幼児の揺れによって足に加えられる衝撃を緩和するための弾性材質で形成されたことを特徴とする。
【００１７】
前記靴本体は、夏期に着用するときに通風性を高めるために網体で形成されたことを特徴とする。
【考案の効果】
【００１８】
本考案によれば、幼児用抱っこ紐の肩紐部に支え帯で着脱可能に足支え靴を連結することによって、幼児の足を足支え靴に入れてから幼児用抱っこ紐で幼児を抱き上げるので、幼児の膝が曲がった状態で足が下方に垂れなくなり、幼児の足に圧迫が加えられず、身体の血液循環が円滑に行われ、幼児の健康を害しなくなる。その結果、保護者が安心して幼児を抱いたり背負って歩行することができ、使用者の信頼感を極大化することができる。
【００１９】
また、本考案によれば、支え帯の両側に装着具を設置することによって、幼児用抱っこ紐を前側や後側のいずれにも容易に着用することができ、使用の便利性を極大化することができる。
【００２０】
また、本考案によれば、足支え靴を交替可能にすることによって、冬季には、風が通らない暖かい素材の靴本体を着用し、夏季には、通風のよい網体の靴本体を着用することができ、健康を増進させることができる。
【００２１】
また、本考案によれば、幼児の身体的及び心理的な安定感を最大化することができ、その結果、成長発育を大いに促進し、２才以下の幼児に使用するときにも、靴形態の足支え靴の着用によって足を支えることによって、より便利に歩行することができる。
【図面の簡単な説明】
【００２２】
【図１】従来の幼児用抱っこ紐を示した斜視図である。
【図２】本考案に係る足支え靴が適用された幼児用抱っこ紐を示した斜視図である。
【図３】本考案に係る足支え靴を示した斜視図である。
【図４】本考案に係る足支え靴の後面斜視図である。
【図５】本考案に係る足支え靴の一例を示した例示図である。
【図６】本考案に係る足支え靴が装着された状態での幼児用抱っこ紐の使用状態図である。
【図７】本考案に係る足支え靴が適用された他の例の幼児用抱っこ紐を示した分離斜視図である。
【図８】図７による足支え靴が適用された幼児用抱っこ紐を示した斜視図である。
【図９】図７による足支え靴の連結構造を示した斜視図である。
【図１０】図７による足支え靴の連結構造を示した要部拡大図である。
【図１１】図７による足支え靴の他の一例を示した例示図である。
【図１２】図７による足支え靴が着用された状態で幼児用抱っこ紐を前側に着用した状態を示した例示図である。
【図１３】図７による幼児用抱っこ紐を後側に着用した状態を示した例示図である。
【考案を実施するための形態】
【００２３】
以下、添付の図面を参照して本考案の一実施例を詳細に説明する。
【００２４】
図２は、本考案に係る足支え靴が適用された幼児用抱っこ紐を示した斜視図で、図３は、本考案に係る足支え靴を示した斜視図で、図４は、本考案に係る足支え靴の後面斜視図で、図５は、本考案に係る足支え靴を示した例示図である。
【００２５】
本考案に係る幼児用抱っこ紐は、幼児の背を支えるための背支え部１１０と、前記背支え部１１０の下部から一体に又は裁縫によって延長され、両側が外側に広がった状態で幼児の太股部分を載せるための延長翼１２１を備えており、幼児のお尻部分を載せるためのお尻支え部１２０と、前記背支え部１１０の上部に着脱可能な状態で幼児の頭を支えるための頭支え部１３０と、前記背支え部１１０の上端両側とお尻支え部１２０の両側端にそれぞれ連結され、保護者の肩にかけるための肩紐部１４０とを含んで構成される。また、前記幼児用抱っこ紐１００の肩紐部１４０に連結部材１５０が形成され、前記連結部材１５０には固定具２３１で着脱可能な足支え靴２００が連結される。
【００２６】
前記足支え靴２００は、幼児の足を入れるための靴本体２１０と、前記靴本体２１０の上部両側連結片２１１に結着される連結紐２２０と、前記連結紐２２０に連結された状態で前記連結部材１５０に連結され、足支え靴２００を肩紐部１４０に連結するための連結帯２３０とを含んで構成される。
【００２７】
前記靴本体２１０の後面部又は側面部には、長さ方向に幼児の足を靴本体２１０の内部に容易に入れるための開閉手段２１２が形成される。前記開閉手段２１２は、ジッパー、ベルクロテープ及びスナップのうち何れか一つで形成される。
【００２８】
一方、前記靴本体２１０の内部底面には、靴本体２１０に入る幼児の足の裏に加えられる衝撃を緩和し、幼児の足を保護するためのクッションパッド２４０が形成され、前記靴本体２１０は、幼児の膝又は足首まで覆われるようにする。
【００２９】
前記連結紐２２０の一側端には、前記連結片２１１に連結される結着具２２１が形成される。前記連結紐２２０の外面には、幼児の足が当接することによって生じる傷を防止するために布又はクッション材質のカバー２５０が形成されることが望ましい。
【００３０】
前記連結帯２３０の終端には、前記連結部材１５０に着脱可能な固定具２３１が形成され、前記連結帯２３０の外側面には、前記靴本体２１０の高低を調節できるように前記連結帯２３０の長さを調節する長さ調節具２３２が形成される。
【００３１】
一方、前記連結帯２３０の後面部には、保護者の身体を保護するためのクッションパッド２４１が形成されることが望ましい。
【００３２】
以下、図６を参照して、前記のように構成された本考案の作用状態について説明する。
【００３３】
まず、本考案に係る幼児用抱っこ紐１００においては、背支え部１１０に幼児の上体の背部分が支えられる状態でお尻支え部１２０に幼児のお尻が載せられ、幼児の足が前記お尻支え部１２０と肩紐部１４０との間に抜け出るようにし、背支え部１１０に載せられる幼児が落ちることを防止する。
【００３４】
このような状態で、本考案に係る幼児用抱っこ紐１００を保護者の胸方向に位置させた後、肩紐部１４０を肩にかけて幼児を抱き上げる。
【００３５】
このように幼児用抱っこ紐１００に幼児を座らせた後、本考案に係る足支え靴２００の靴本体２１０内に幼児の足を入れるようになる。このとき、前記靴本体２１０にジッパーやベルクロテープなどの開閉手段２１２が形成されているので、前記靴本体２１０に幼児の足を入れたり、前記靴本体２１０から幼児の足を取り出すとき、前記開閉手段２１２を開放状態にし、靴本体２１０が広がるようにすることで、保護者が簡便に前記靴本体２１０に幼児の足を入れたり、前記靴本体２１０から幼児の足を取り出すことができる。
【００３６】
また、前記靴本体２１０内に幼児の足が入れば、前記開閉手段２１２を閉鎖状態にし、幼児の足が前記靴本体２１０から抜けることを防止する。
【００３７】
そして、前記靴本体２１０に幼児の足が入れば、前記靴本体２１０に形成されている連結片２１１に前記結着具２２１を結着し、連結紐２２０の両側端を靴本体２１０に固定する。また、前記連結紐２２０に連結される連結帯２３０に形成された固定具２３１を前記肩紐部１４０に形成された連結部材１５０に係合することによって前記連結帯２３０を肩紐部１４０に固定し、前記足支え靴２００を幼児用抱っこ紐１００の肩紐部１４０に連結するようになる。
【００３８】
このとき、前記足支え靴２００を肩紐部１４０の連結部材１５０に着脱可能に連結するので、前記足支え靴２００を使用しないときには、前記肩紐部１４０から足支え靴２００を分離することができ、使用の便利性を高めることができる。
【００３９】
これとともに、前記靴本体２１０内にクッションパッド２４０が形成されることによって、前記靴本体２１０に入る幼児の足を外部の衝撃から最大限に保護することができる。
【００４０】
また、前記連結紐２２０の外面に形成されたカバー２５０又は前記連結帯２３０に形成されたクッションパッド２４１により、幼児はもちろんで、保護者の身体にも傷を与えなくなる。
【００４１】
そして、前記連結帯２３０に長さ調節具２３２が形成されているので、前記長さ調節具２３２によって連結帯２３０の長さを簡便に調節することができ、幼児の足の長さなどの身体条件に最大限に合わせることができる。
【００４２】
したがって、本考案に係る幼児用抱っこ紐１００で幼児を抱いた状態で前記足支え靴２００に幼児の足を入れるようになり、前記足支え靴２００を肩紐部１４０に連結すれば、前記足支え靴２００が幼児の足を支えるとともに、幼児の膝を曲げるようになるので、幼児用抱っこ紐１００と保護者との間で幼児の足が圧迫を受けなくなる。
【００４３】
図７は、本考案に係る足支え靴が適用された幼児用抱っこ紐の他の実施例を示した分離斜視図で、図８は、図７による足支え靴が適用された幼児用抱っこ紐を示した斜視図で、図９は、図７による足支え靴の連結構造を示した斜視図で、図１０は、図７による足支え靴の連結構造を示した要部拡大図で、図１１は、図７の足支え靴の例を示した図である。
【００４４】
図７〜図１１において、本考案の他の実施例に係る幼児用抱っこ紐は、幼児の背を支えるための背支え部１１０と、前記背支え部１１０の下部から一体に又は裁縫によって延長され、両側が外側に広がった状態で幼児の太股部分を載せるための延長翼１２１を備えており、幼児のお尻部分を載せるためのお尻支え部１２０と、前記背支え部１１０の上部に着脱可能な状態で幼児の頭を支えるための頭支え部１３０と、前記背支え部１１０の上端両側とお尻支え部１２０の両側端にそれぞれ連結され、保護者の肩にかけるための肩紐部１４０と、前記幼児用抱っこ紐１００の肩紐部１４０から分離可能に形成された支え帯４００とを含んで構成される。また、前記支え帯４００の内部には、前記連結部材１５０と連結帯２３０との間を連結するように両端に装着具４２０がそれぞれ形成された補助帯（図示せず）が形成されている。前記補助帯装着具４２０の一端は前記連結部材１５０に連結され、前記補助帯装着具４２０の他端は連結帯２３０の一側に連結される。前記連結帯２３０の他側は連結紐２２０に連結され、前記連結紐２２０は靴本体２００の連結片２１１に着脱可能に連結される。
【００４５】
前記支え帯４００の一側端には、前記肩紐部１４０から分離可能なベルクロテープ、ジッパー及びスナップのうちいずれか一つからなる固定手段４１０が形成される。
【００４６】
また、前記連結紐２２０は、幼児用抱っこ紐１００で幼児を抱いたり背負って移動するとき、揺れによって幼児の足に加えられる衝撃を緩和するために弾性材質で形成されることが望ましい。
【００４７】
前記連結帯２３０に連結される装着具２２０ａには、前記足支え靴２００の高低を調節できるように前記連結帯２３０の長さを調節する長さ調節部２２１が形成される。
【００４８】
前記足支え靴２００には、幼児の足を入れるための靴本体２１０が形成され、前記靴本体２１０の上部両側には、前記連結紐２２０が結着具２４０を介して連結される連結片２１１が形成され、前記靴本体２１０の一面には、幼児の足を靴本体２１０の内部に容易に入れるための開閉手段２１２が形成される。
【００４９】
また、前記開閉手段２１２は、ベルクロテープ、ジッパー及びスナップなどのいずれか一つで形成される。
【００５０】
一方、前記足支え靴２００の靴本体２１０は、冬期には、通風及び外部の冷たい空気から保護するための革や毛などの暖かい素材で形成されたものを着用し、夏期には、添付の図１１のように通風性を高めるための網体２５０で形成されたものを着用する。
【００５１】
図１２は、図７による足支え靴が着用された状態で幼児用抱っこ紐を前側に着用した状態を示した例示図で、図１３は、図７による幼児用抱っこ紐を後側に着用した状態を示した例示図である。
【００５２】
本考案に係る作用状態を示した図１２及び図１３を見ると、本考案に係る幼児用抱っこ紐１００においては、背支え部１１０に幼児の上体の背部分が支えられる状態でお尻支え部１２０に幼児のお尻が載せられ、幼児の足が前記お尻支え部１２０と肩紐部１４０との間に抜け出るようにし、背支え部１１０に載せられる幼児が落ちることを防止する。
【００５３】
このような状態で、本考案に係る幼児用抱っこ紐１００を保護者の胸方向に位置させた後、肩紐部１４０を肩にかけた状態で幼児を抱いたり背負うようになる。
【００５４】
このとき、前記肩紐部１４０を肩にかけるとき、肩の上部にかけられる肩紐部１４０に支え帯４００を嵌めた状態で固定手段４１０で前記支え帯４００を固定するようになる。
【００５５】
これによって、前記肩紐部１４０の外面に支え帯４００が固定された状態で前記支え帯４００が保護者の肩の上部にかけられるようになり、抱っこ紐１００に座る幼児の重さによって前記肩紐部１４０が押されることによって、前記支え帯４００が落ちることが防止される。
【００５６】
このように幼児用抱っこ紐１００に幼児を座らせた後、本考案に係る足支え靴２００の靴本体２１０内に幼児の足を入れるようになる。このとき、前記靴本体２１０にベルクロテープやジッパーなどの開閉手段２１２が形成されているので、前記靴本体２１０に幼児の足を入れたり、前記靴本体２１０から幼児の足を取り出すとき、前記開閉手段２１２を開放状態にし、靴本体２１０が広がるようにすることで、保護者が簡便に前記靴本体２１０に幼児の足を入れたり、前記靴本体２１０から幼児の足を取り出すことができる。
【００５７】
また、前記靴本体２１０内に幼児の足が入れば、前記開閉手段２１２を閉鎖状態にし、幼児の足が前記靴本体２１０から抜けることを防止する。
【００５８】
そして、前記靴本体２１０に幼児の足が入れば、前記靴本体２１０に形成されている連結片２１１に前記結着具２４０を結着し、前記連結紐２２０の一端を靴本体２１０に固定する。また、前記連結紐２２０に連結される連結帯２３０に形成された装着具２２０ａを前記肩紐部１４０に結着されている支え帯４００の装着具４２０に係合することによって、前記足支え靴２００を幼児用抱っこ紐１００の支え帯４００に連結するようになる。
【００５９】
このとき、前記足支え靴２００を肩紐部１４０に結着された支え帯４００に着脱可能に連結するので、前記足支え靴２００を使用しないときには、前記支え帯４００から足支え靴２００を分離することができ、使用の便利性を高めることができる。
【００６０】
これとともに、前記支え帯４００の内部に形成された補助帯の両側に装着具４２０を形成するので、幼児を前側に抱いたり、後側に背負うとき、前記支え帯４００に連結帯２３０を前後側に交互に簡便に装着することができる。
【００６１】
また、前記足支え靴２００に連結される連結紐２２０を弾性材質で形成するので、幼児用抱っこ紐１００に幼児を載せて移動するとき、保護者の揺れとともに幼児も揺れながら足に加えられる衝撃を緩和することができ、身体の損傷を防止することができる。
【００６２】
そして、前記連結帯２３０に連結される装着具２２０ａには長さ調節部２２１が形成されているので、前記長さ調節部２２１によって連結帯２３０の長さを簡便に調節することができ、幼児の足の長さなどの身体条件に最大限に合わせることができる。
【００６３】
したがって、本考案に係る幼児用抱っこ紐１００で幼児を抱いた状態で前記足支え靴２００に幼児の足を入れるようになり、前記足支え靴２００を肩紐部１４０に結着される支え帯４００に連結すれば、前記足支え靴２００が幼児の足を支えるとともに、幼児の膝を曲げるようになるので、幼児用抱っこ紐１００と保護者との間で幼児の足が圧迫を受けなくなる。
【００６４】
一方、本考案に係る足支え靴２００の靴本体２１０を網体２５０で形成するので、暑い夏季にも靴本体２１０の内部に外部の涼しい風が循環されるようになり、幼児の足に生じる湿疹や皮膚疾患などを予防することができる。
【００６５】
本考案は、上述した特定の好適な実施例によって限定されるものでなく、実用新案登録請求の範囲で請求する本考案の要旨を逸脱しない限り、当該考案の属する技術分野で通常の知識を有する者によって多様な変形実施が可能であることはもちろんで、そのような変更は実用新案登録請求の範囲内に属するものである。
【符号の説明】
【００６６】
１００  幼児用抱っこ紐
１１０  背支え部
１２０  お尻支え部
１２１  延長翼
１３０  頭支え部
１４０  肩紐部
１５０  連結部材
２００  足支え靴
２１０  靴本体
２１１  連結片
２１２  開閉手段
２２０  連結紐
２２１  結着具
２３０  連結帯
２３１  固定具
２３２  長さ調節具
２４０，２４１  クッションパッド
２５０  カバー
【図１】
0003160559.tif 000003
【図２】
0003160559.tif 000004
【図３】
0003160559.tif 000005
【図４】
0003160559.tif 000006
【図５】
0003160559.tif 000007
【図６】
0003160559.tif 000008
【図７】
0003160559.tif 000009
【図８】
0003160559.tif 000010
【図９】
0003160559.tif 000011
【図１０】
0003160559.tif 000012
【図１１】
0003160559.tif 000013
【図１２】
0003160559.tif 000014
【図１３】
0003160559.tif 000015
【手続補正書】
【提出日】平成22年4月26日(2010.4.26)
【手続補正１】
【補正対象書類名】明細書
【補正対象項目名】００１０
【補正方法】変更
【補正の内容】
【００１０】
また、前記靴本体の後面部又は側面部には、長さ方向に幼児の足を靴本体の内部に容易に入れるための開閉手段が形成され、前記開閉手段は、ジッパー、面ファスナー及びスナップのうちいずれか一つで形成されたことを特徴とする。
【手続補正２】
【補正対象書類名】明細書
【補正対象項目名】００１４
【補正方法】変更
【補正の内容】
【００１４】
また、前記肩紐部から分離可能に形成された支え帯をさらに含み、前記支え帯の内部には、前記連結部材と連結帯との間を連結するように両端に装着具がそれぞれ形成された補助帯が形成され、前記支え帯の一側端には、前記肩紐部から分離可能な面ファスナー、ジッパー及びスナップのうちいずれか一つからなる固定手段が形成されることを特徴とする。
【手続補正３】
【補正対象書類名】明細書
【補正対象項目名】００２７
【補正方法】変更
【補正の内容】
【００２７】
前記靴本体２１０の後面部又は側面部には、長さ方向に幼児の足を靴本体２１０の内部に容易に入れるための開閉手段２１２が形成される。前記開閉手段２１２は、ジッパー、面ファスナー及びスナップのうち何れか一つで形成される。
【手続補正４】
【補正対象書類名】明細書
【補正対象項目名】００３５
【補正方法】変更
【補正の内容】
【００３５】
このように幼児用抱っこ紐１００に幼児を座らせた後、本考案に係る足支え靴２００の靴本体２１０内に幼児の足を入れるようになる。このとき、前記靴本体２１０にジッパーや面ファスナーなどの開閉手段２１２が形成されているので、前記靴本体２１０に幼児の足を入れたり、前記靴本体２１０から幼児の足を取り出すとき、前記開閉手段２１２を開放状態にし、靴本体２１０が広がるようにすることで、保護者が簡便に前記靴本体２１０に幼児の足を入れたり、前記靴本体２１０から幼児の足を取り出すことができる。
【手続補正５】
【補正対象書類名】明細書
【補正対象項目名】００４５
【補正方法】変更
【補正の内容】
【００４５】
前記支え帯４００の一側端には、前記肩紐部１４０から分離可能な面ファスナー、ジッパー及びスナップのうちいずれか一つからなる固定手段４１０が形成される。
【手続補正６】
【補正対象書類名】明細書
【補正対象項目名】００４９
【補正方法】変更
【補正の内容】
【００４９】
また、前記開閉手段２１２は、面ファスナー、ジッパー及びスナップなどのいずれか一つで形成される。
【手続補正７】
【補正対象書類名】明細書
【補正対象項目名】００５６
【補正方法】変更
【補正の内容】
【００５６】
このように幼児用抱っこ紐１００に幼児を座らせた後、本考案に係る足支え靴２００の靴本体２１０内に幼児の足を入れるようになる。このとき、前記靴本体２１０に面ファスナーやジッパーなどの開閉手段２１２が形成されているので、前記靴本体２１０に幼児の足を入れたり、前記靴本体２１０から幼児の足を取り出すとき、前記開閉手段２１２を開放状態にし、靴本体２１０が広がるようにすることで、保護者が簡便に前記靴本体２１０に幼児の足を入れたり、前記靴本体２１０から幼児の足を取り出すことができる。
【手続補正８】
【補正対象書類名】実用新案登録請求の範囲
【補正対象項目名】全文
【補正方法】変更
【補正の内容】
【実用新案登録請求の範囲】
【請求項１】
背支え部と、前記背支え部の下部から一体に延長され、両側が外側に広がった状態で幼児の太股部分を載せるための延長翼を有するお尻支え部と、前記背支え部の上部に形成された頭支え部と、前記背支え部の上端両側とお尻支え部の両側端にそれぞれ連結された肩紐部と、を含んで構成された幼児用抱っこ紐において、
前記肩紐部に形成された連結部材と、
前記連結部材に連結された足支え靴と、を含み、
前記足支え靴は、幼児の足を入れるための靴本体と、前記靴本体に形成された連結片に結着される連結紐と、前記連結紐を連結部材に連結するための連結帯と、を含んで構成されたことを特徴とする足支え靴が備わった幼児用抱っこ紐。
【請求項２】
前記靴本体の後面部又は側面部には、長さ方向に幼児の足を靴本体の内部に容易に入れるための開閉手段が形成されることを特徴とする、請求項１に記載の足支え靴が備わった幼児用抱っこ紐。
【請求項３】
前記開閉手段は、ジッパー、面ファスナー及びスナップのうちいずれか一つで形成されることを特徴とする、請求項２に記載の足支え靴が備わった幼児用抱っこ紐。
【請求項４】
前記靴本体の内部底面には、幼児の足の裏に加えられる衝撃を緩和するためのクッションパッドが形成されることを特徴とする、請求項１に記載の足支え靴が備わった幼児用抱っこ紐。
【請求項５】
前記連結紐の一側端には、前記靴本体の連結片に連結される結着具が形成され、前記連結紐の外面には、幼児の足が当接することによって生じる傷を防止するための布又はクッション材質のカバーが形成されることを特徴とする、請求項１に記載の足支え靴が備わった幼児用抱っこ紐。
【請求項６】
前記連結帯の一側端には、前記連結部材に着脱可能な固定具が形成され、
前記連結帯の外側面には、前記靴本体の高低を調節できるように前記連結帯の長さを調節する長さ調節具が形成され、
前記連結帯の後面部には、保護者の身体を保護するためのクッションパッドが形成されることを特徴とする、請求項１に記載の足支え靴が備わった幼児用抱っこ紐。
【請求項７】
前記肩紐部から分離可能に形成された支え帯をさらに含み、
前記支え帯の内部には、前記連結部材と連結帯との間を連結するように両端に装着具がそれぞれ形成された補助帯が形成され、
前記支え帯の一側端には、前記肩紐部から分離可能な面ファスナー、ジッパー及びスナップのうちいずれか一つからなる固定手段が形成されることを特徴とする、請求項１に記載の足支え靴が備わった幼児用抱っこ紐。
【請求項８】
前記装着具のうち連結帯に連結される装着具には、前記靴本体の高低を調節できるように前記連結帯の長さを調節する長さ調節部が形成されたことを特徴とする、請求項７に記載の足支え靴が備わった幼児用抱っこ紐。
【請求項９】
前記連結紐は、幼児用抱っこ紐で幼児を抱いたり背負って移動するとき、幼児の揺れによって足に加えられる衝撃を緩和するための弾性材質で形成されたことを特徴とする、請求項１に記載の足支え靴が備わった幼児用抱っこ紐。
【請求項１０】
前記靴本体は、夏期に着用するときに通風性を高めるために網体で形成されたことを特徴とする、請求項１に記載の足支え靴が備わった幼児用抱っこ紐。